(57)【要約】【課題】安価にしてファッション性、遊戯性、装飾性、観賞性若しくは機能性をタオル、手拭、小物入れ等々の布製物品に付与し、消費者の視覚や美観に訴えることが出来且つ使用性に優れたものとする。【解決手段】本発明は、織布又は不織布を適当な形状に形成して成る生地部材１に固着されたリング状の吊下部材２と該リング状の吊下部材２を貫通孔１３に挿通して連接状態とすることが出来且つ該リング状の吊下部材２から適時離脱可能な該貫通孔１３を有する布製装飾体３とから構成され、適事ポケット７や小物入れ等を該生地部材１に設けることが出来る様に構成され、また前記の如く構成された布製物品の生地部材１に関し、頭部形態に形成した布製装飾体３の形態に相応する胴部形態とすべく生地部材１を折り畳んでリング状吊下部材２を貫通孔１３に挿通して布製装飾体３に連接し、頭部と胴部を有する縫いぐるみ形状に形成する。【選択図】  図１
2004283368.tif 000002
【特許請求の範囲】
【請求項１】
所望の形状と面積を有するシート状の生地部材と動物の頭部等を模した形状を有する布製装飾体とから成り、該生地部材の適所にリング状の吊下部材を固着して、該リング状の吊下部材を挿通し得る貫通孔を前記布製装飾体に形成し、リング状吊下部材を貫通孔に挿通してシート状生地部材と布製装飾体を連接し、布製装飾体から上方へ抜け出したリング状吊下部材により吊り下げ自在としたことを特徴とする布製物品。
【請求項２】
生地部材がタオル地から成ることを特徴とする請求項１に記載の布製物品。
【請求項３】
生地部材にポケットを形成したことを特徴とする請求項１又は２の何れかに記載の布製物品。
【請求項４】
布製装飾体に動物の手等を模した装飾部材を固着して成ることを特徴とする請求項１乃至３の何れかに記載の布製物品。
【請求項５】
装飾部材が小物入れ等を保持する保持具を備えて成ることを特徴とする請求項１乃至４の何れかに記載の布製物品。
【請求項６】
生地部材が袋状に形成されていることを特徴とする請求項１乃至５の何れかに記載の布製物品。
【請求項７】
布製装飾体を頭部形態に形成し該頭部形態に対応する胴部形態に生地部材を折り畳み、該生地部材に固着したリング状吊下部材を布製装飾体に挿通して布製装飾体と生地部材を連接し、頭部と胴部を有する縫いぐるみ形状に作出したことを特徴とする請求項１乃至６の何れかに記載の布製物品。
【請求項８】
生地部材に手又は足の形状を模した装飾部材を付加したことを特徴とする請求項１乃至６の何れかに記載の布製物品。
【請求項９】
生地部材に物品挿脱部材を形成したことを特徴とする請求項１乃至７の何れかに記載の布製物品。
【請求項１０】
生地部材又は布製装飾体にカードケースを取り付けたことを特徴とする請求項１乃至８の何れかに記載の布製物品。
【発明の詳細な説明】
【０００１】
【発明の属する技術分野】
本発明は、ファッション性、遊戯性、装飾性、観賞性若しくは機能性を付与したタオル、手拭、小物入れ等の布製物品に関する。
【０００２】
【従来の技術】
タオル、手拭、小物入れ等の布製物品は、多数存在し、またこれらはいろとりどりに絵柄を織り込んだ生地を用いて成るものや印刷を施したもの等があるが、広く一般に普及しており何れも特殊性を欠き消費者に対するアピール性が低い。
【０００３】
また、タオルの生地の面上に動物の顔を模したポケットを設けたバスタオルが特開平１０−３２３２９８号に開示されている。これは、タオルに動物の顔を模したポケットを設けたことによりタオルの利用範囲を小物入れ等に広げたものであるが、吊下部材に相当する構成を有さず、従って、ウォールポケット等として利用することが出来ない上にタオル掛け等に掛けてポケットに収容対象物を収容して利用すると収容対象物の自重でタオルが落下してしまう等の問題を呈していた。また折り畳み状態は従来のタオルと変わるところがなく面白みに欠ける。
【０００４】
【特許文献１】
特開平１０−３２３２９８号
【０００５】
【発明が解決しようとする課題】
本発明は、上記問題点に鑑みて工夫されたものであって、タオル、手拭、小物入れ等の布製物品において、これらにファッション性、遊戯性、装飾性、観賞性若しくは機能性を付与し、消費者の視覚や美観に訴えることが出来且つ使用性に優れたものとする。
【０００６】
【課題を解決する為の手段】
本発明は、織布又は不織布を適当な形状に形成して成る面状の生地部材に固着されたリング状の吊下部材と該吊下部材を挿通して連接状態とすることが出来且つ該吊下部材から適時離脱可能な貫通孔を有する布製装飾体とから構成され、好ましくは、生地部材を頭部形態とした布製装飾体に対応する胴部形態に折り畳んで吊下部材を挿通して布製装飾体と連接し頭部と胴部を有する縫いぐるみ形状に形成する。
【０００７】
前記生地部材は、所定の面積を有するフェルト地等の不織布、或いはより好ましくは綿地或いは木綿地を含む布地、絹地、化繊地等の織布、更に好ましくはタオル地から成り、これらを所望の形状及びサイズに形成した生地を生地部材とするが、素材に関しては折り畳むことが出来る程度の柔軟性或いは可撓性を有する面状の生地であれば良く、適事使用対象に合わせたものを用いることが出来、前述の如くの布や不織布の生地には限定されない。
【０００８】
また該生地部材の面上の所定の位置にポケットを設けることが出来、収容対象物を収容できる様に構成しても良い。該ポケットは適事、該ポケットの開口部にファスナー、ボタン、ホック、タッチクローズ型面ファスナーの如く物品を施して開閉式にしたもの或いは開口部が常に開放されたものであっても良く、前記の如くポケットを少なくとも一カ所以上の所定の位置に設けることが出来る。
【０００９】
更に当該発明の全体的な意匠性を向上させる若しくは逸脱しない程度であれば、該生地部材の縁上若しくは面上の所定の位置に装飾部材を設けても良く、また該装飾部材に保持対象物を保持する為の保持具を設け、ネームカードや小物入れを保持する保持機能を付与しても良い。
【００１０】
前記リング状の吊下部材は、天然繊維や化繊若しくはプラスチックを帯状又は紐状に形成した構成より成り、該リング状の吊下部材の端部好ましくは両端部を該生地部材の面上好ましくは縁上に固着した構成より成るが、固着方法に関しては、縫付け、圧着、溶着等によって固着できるが固定されていれば良く、これらに限定されない。
【００１１】
前記布製装飾体は、該布製装飾体の上端から下端にかけて貫通した貫通孔を設けたもの即ち筒状の布製装飾体の外形を所望の形状に形成した構成より成り、必要に応じて該布製装飾体の一カ所又は複数箇所に装飾部材更に好ましくは当該発明の全体的な意匠性に則した形状を付与してなる装飾部材を固定し、更に好ましくは保持対象物を保持することが出来る様に保持具を装飾部材に施した構成とする。
【００１２】
該装飾部材は、意匠性を逸脱しない程度の範囲内で該布製装飾体に対し少なくとも一個以上固定することが出来、固定方法に関しては縫付け、圧着、溶着等によって完全に固着した非着脱式、或いはボタンやホック等を用いて着脱自在とした着脱式の何れであっても固定することが出来る様に構成されていれば良く何等限定されない。また該装飾部材による保持対象物の保持は、クリップやフックの如く保持具を用いて行うものであり、即ちこの場合、該装飾部材は該保持具を備えて成るが、保持具は保持対象物を一定期間保持できれば良くクリップやフックに限定されない。
【００１３】
【発明の実施の形態】
以下、本発明の実施の形態を図１〜１２を参照して詳細に説明する。
図１〜３は、本発明の基本構成を示したものであり、折り畳むことが出来る程度の柔軟性或いは可撓性を有し且つ所定の面積を有する面状の生地、好ましくはフェルト地等の不織布、或いはより好ましくは綿地或いは木綿地を含む布地、絹地、化繊地等の織布、更に好ましくはタオル地等から適事使用対象に合わせて選ばれる素材を所望の形状及びサイズに形成した生地から成る生地部材１と天然繊維や化繊若しくはプラスチックを帯状又は紐状に形成した構成より成るリング状に形成される吊下部材２の端部６又は両端部を該生地部材１の面５上好ましくは縁４付近更に好ましくは角１５ａの近傍に、縫付け、圧着、溶着等によって固着し、前記生地から適事選ばれる素材より成る動物等の頭部の形態を立体的に模した布製装飾体３の上端から下端にかけて貫通する貫通孔１３を設け、該布製装飾体３に動物の手等を模した装飾部材１１を適事固着し、該貫通孔１３に該リング状の吊下部材２を挿通して、生地部材１と該布製装飾体３とを連接状態とすることが出来且つ布製装飾体３が該生地部材１から適時離脱可能に構成される布製物品である。
【００１４】
また前記貫通孔１３と該リング状の吊下部材２とが連接状態であるとき、両者が緩過ぎれば、逆さまになった場合等に該布製装飾体３が抜け落ちてしまい、逆に両者の連接がきつ過ぎれば、挿通作業が困難となるので、両者の相対的なサイズや係り具合を抜け落ちず挿通作業が容易に出来る程度とする。
【００１５】
使用の際には、該布製装飾体３を離脱して使用しても良く連接状態のまま使用しても良いが、離脱して使用する場合には、該布製装飾体３と生地部材１をそれぞれ一直線上において逆外向きに引き離すことで離脱でき、挿通して元に戻すときには該布製装飾体３に設けられた貫通孔１３に該リング状の吊下部材２を挿通することで元に戻すことが出来る。
【００１６】
前記生地部材１は、サイズ及び色柄や形状をはじめとする意匠を用途に応じて所望のものに形成することが可能であり、例えば、バスタオル程度の大きさの紺色を施した生地をイルカの形状に形成したものを用いる場合には、リング状の吊下部材２をイルカの頭部を模した布製装飾体３に挿通し連接した状態とすれば、全体として立体的なイルカ様物品とすることが出来、該布製装飾体３をリング状の吊下部材２から離脱した状態においては平面的なイルカ様物品とすることが出来る。
【００１７】
前記布製装飾体３は、この外形を動物や鳥類或いは昆虫、爬虫類若しくは魚類等の頭部を模倣若しくディフォルメ化した立体的な意匠としても良く、又は人形やアニメキャラクターの如くの頭部を準えた立体的な意匠とすることが可能であり、これらの如くの動物等の頭部形状を模した場合、縫いぐるみやマスコットの如き遊戯性、装飾性、観賞性等の要素を付与することが出来る。
【００１８】
前記装飾部材１１は、使途や用途或いは当該発明の全体的な意匠性に則して布製装飾体３に設けるものであり、これを設けるときは該布製装飾体３の形態に対応する意匠とすることが出来、例えば、布製装飾体３の意匠を象の頭部を模した形態とした場合には、装飾部材１１を象の耳或いは鼻を模倣した意匠としたり、布製装飾体３の意匠を鳥類の頭部を模した形態とした場合には、装飾部材１１を鳥の翼或いは羽を模倣した意匠とする。或いは布製装飾体３の意匠を魚類の頭部を模した形態とした場合には、装飾部材１１を鰭或いは鰓を模倣した意匠としたり、又は布製装飾体３の意匠を人形の頭部を模した形態とした場合には、装飾部材１１を人形の腕或いは手を模倣した意匠としたり、布製装飾体３の意匠をアニメキャラクターの頭部を模した形態とした場合には、装飾部材１１を人形の舌或いは顎を模倣した意匠とする等して、各部品の意匠を全体の意匠の一部とすることで、縫いぐるみやマスコットの如き遊戯性、装飾性、観賞性等の要素を付与することが可能であって、消費者や使用者の遊び心や視覚に訴えることが出来る。
【００１９】
以上の構成の布製物品において、特にリング状の吊下部材２が、略菱形に形成された生地部材１の一つの角１５ａに固定されて成る布製物品に関し、図４を参照して該生地部材１の折り畳み方法を説明する。先ず、該角１５ａの対角１５ｂを挟む二辺をそれぞれ辺１６ａ、辺１６ｂとして、辺１６ａ及び辺１６ｂそれぞれの中点若しくは中程の点と該角１５ａとを結ぶ直線１７ａ及び１７ｂを折り目として、前記直線１７ａ及び１７ｂより外側の生地部材１をそれぞれ谷折り１８ａ及び谷折り１８ｂし、次いで、角１５ａから角１５ｂにかけての長さを凡そ三等分する位置の直線１７ｃ及び直線１７ｄを折り目としてそれぞれ山折り１９、谷折り１８ｃし、該谷折り１８ｃと該山折り１９の重なりによって描かれる二つの斜辺となる直線１７ｅ及び直線１７ｆを折り目として、それぞれ谷折り１８ｄ、谷折り１８ｅすることで美麗な折り畳み状態の形状２０を得る。以上の如くの折り畳み方法によって美麗な折り畳み状態の形状２０を得るが、折り畳んだ状態の外観が当該発明の全体的な意匠に則していて、意匠性を向上させるものであれば折り畳み方法はこれに限定されない。又、生地部材１の形状は菱形に限られるものではなく、方形、三角形、円形、或いはその他の形状であっても良い。
【００２０】
また該谷折り１８ｄ部と該谷折り１８ｅ部の重なり合った箇所の該生地部材１を係止部材１４で固定する構成とすることで前記形状２０を保持することが出来き、これによって前記形状２０を胴部形態としてこれに対応する頭部形態の布製装飾体を連接して成る縫いぐるみ様の布製物品の形態を保持したまま商品として店頭等に陳列することが可能となり商品性を高めることが出来る。また前記係止部材１４は、ピンやホック、クリップ、ボタン、タッチクローズ型面ファスナー等でこの目的が達せられるが折り畳んだ状態が維持できれば良く何等限定されない。
【００２１】
本発明は、以上の基本構成から成り、以下この変形を図５〜１２を参考にして説明する。前記生地部材１の面５上の所定の位置に、縦又は横方向に開口部８を有し、該開口部８からネームカードやタグ等を差し込んで使用するケース２１を設けることが出来る。また前記布製装飾体３に固着される装飾部材１１は、クリップやフックの如く保持具を設けた構成とすることが可能であり、この場合にはネームカードやメモ用紙、又は小物入れ２２等の保持対象物を該保持具に挟んで若しくは吊り下げて保持させることが出来る。例えば図７は、フックを保持具として装飾部材１１に設け、籠状の小物入れ２２を該フックに吊り下げることが出来る様に構成された布製物品であって、該籠状の小物入れ２２に芳香剤等を入れて使用するも出来る様に工夫されたものである。
【００２２】
前記生地部材１の所定の位置好ましくは縁４上、又は吊下部材２を固着していない角の近傍には、動物の手や足等を模した形態の装飾部材１２を固着しても良く、これを固着して設ける場合、該装飾部材１２は素材をはじめサイズ、色柄、形状を所望のものにすることが出来るが好ましくは布製装飾体３及び生地部材１の意匠等の形態に対応する形態とする。例えば図８及び９は、熊の頭部を模した形態の布製装飾体３及び生地部材１に対し、これらに相応すべく熊の手や足を模した意匠に形成して成る装飾部材１２を該生地部材１の所定の位置にそれぞれ配置した構成より成る布製物品である。
【００２３】
前記生地部材１は、当該発明の全体的な意匠に則し、或いは全体的な意匠性を向上させる為に、この形状を動物の体等の形態を模した特殊な意匠に形成しても良い。例えば図１０は、熊の頭部の形態を模した布製装飾体３に相応して熊の体の形態を模した意匠に形成して成る生地部材１とした構成より成る布製物品である。また生地部材１の形状は、当該発明の全体的な意匠に則するもの又は全体的な意匠性を向上させる若しくはこれを逸脱しないものであれば良く、何等動物の体等に限定されない。
【００２４】
更に前記生地部材１の所定の位置に、適事ポケット７を設けることが可能であり、これを設ける場合、該ポケット７は当該発明の使途や用途或いは収容対象物等各々に合ったものとすることで使用性の向上を図り使用者の要望に応ずることが出来る。例えば、収容対象物を収容した状態で該収容対象物を外部から目視確認できる様にネットや略透明な生地を用いて構成したポケット７を設ければ、取り出さずとも中が見えて便利である。或いは、生地部材１を二重にして袋状に形成し該生地部材１の内部全体が袋状となる様に構成して、前記の如く袋状とした生地部材１の内部に収容対象物を収容できる様にしても良く又、ポケット７の開口部８に、ファスナーやホック、ボタン或いはタッチクローズ型面ファスナーの如くの物品を施して開閉自在のポケット７としても良い。又、図１２に示す様に、円輪状に形成される物品挿脱部材１０を備えた基材９を、生地部材１の面５上に設けた構成とした場合には、ペンやゴルフ用のティー等を装着することも出来て便利であり用途が広がる。これらの如くポケット７を設けて構成される布製物品は、壁掛け等にリング状の吊下部材２を掛けて吊るし、ウォールポケット等として使用したり、リング状の吊下部材を手提げし巾着袋等としても利用可能である。
【００２５】
【発明の効果】
本発明によれば、安価にしてファッション性、遊戯性、装飾性、観賞性若しくは機能性が付与され消費者の視覚や美観、或いは遊び心に訴えることが出来また使用性に優れたタオル、手拭、小物入れ等の布製物品とする。
【図面の簡単な説明】
【図１】本発明の基本形の正面透視図
【図２】本発明の離脱状態を示す図
【図３】本発明の離脱状態の側面断面図
【図４】本発明の折り畳み方法を示す図
【図５】本発明の一変形を示す図
【図６】本発明の一変形を示す図
【図７】本発明の一変形を示す図
【図８】本発明の一変形を示す図
【図９】本発明の一変形を示す図
【図１０】本発明の一変形を示す図
【図１１】本発明の一変形を示す図
【図１２】本発明の一変形を示す図
【符号の説明】
１  生地部材
２  吊下部材
３  布製装飾体
４  縁
５  面
６  端部
７  ポケット
８  開口部
９  基材
１０  物品挿脱部材
１１  装飾部材
１２  装飾部材
１３  貫通孔
１４  係止部材
１５ａ  角
１５ｂ  角
１５ｃ  角
１５ｄ  角
１６ａ  辺
１６ｂ  辺
１７ａ  直線
１７ｂ  直線
１７ｃ  直線
１７ｄ  直線
１７ｅ  直線
１７ｆ  直線
１８ａ  谷折り
１８ｂ  谷折り
１８ｃ  谷折り
１８ｄ  谷折り
１８ｅ  谷折り
１９  山折り
２０  形状
２１  ケース
２２  小物入れ
【図１】
2004283368.tif 000003
【図２】
2004283368.tif 000004
【図３】
2004283368.tif 000005
【図４】
2004283368.tif 000006
【図５】
2004283368.tif 000007
【図６】
2004283368.tif 000008
【図７】
2004283368.tif 000009
【図８】
2004283368.tif 000010
【図９】
2004283368.tif 000011
【図１０】
2004283368.tif 000012
【図１１】
2004283368.tif 000013
【図１２】
2004283368.tif 000014